【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】  画像入力装置の画像読み取りセンサのＭＴＦ特性を示す情報を前記画像入力装置から取得する取得手段と、
該取得手段によって取得されたＭＴＦ特性を示す情報に応じたＭＴＦ補正フィルタにより前記画像入力装置から出力される画像を処理する画像処理手段と、
を具備することを特徴とする画像処理装置。
【請求項２】  前記ＭＴＦ特性を示す情報は、ある特定の空間周波数でのＭＴＦ測定値であることを特徴とする請求項１に記載の画像処理装置。
【請求項３】  前記画像処理手段は、ある特定の空間周波数における複数のＭＴＦ値にそれぞれ対応した複数のＭＴＦ補正フィルタを記憶しており、前記取得手段によって取得されたＭＴＦ特性を示す情報に基づいて、複数のＭＴＦ補正フィルタの中から１つを選択することを特徴とする請求項１に記載の画像処理装置。
【請求項４】  前記画像処理手段は、ある特定の空間周波数における複数のＭＴＦ値にそれぞれ対応した複数のＭＴＦ補正フィルタを記憶しており、前記記憶されている複数のＭＴＦ補正フィルタ及び前記取得手段によって取得されたＭＴＦ特性を示す情報をもとに線形補間により、前記画像入力装置の画像読み取りセンサのＭＴＦ特性に対応したＭＴＦ補正フィルタを算出することを特徴とする請求項１に記載の画像処理装置。
【請求項５】  画像入力装置の画像読み取りセンサのＭＴＦ特性を示す情報を前記画像入力装置から取得する取得工程と、
該取得工程において取得されたＭＴＦ特性を示す情報に応じたＭＴＦ補正フィルタにより前記画像入力装置から出力される画像を処理する画像処理工程と、
を具備することを特徴とする画像処理方法。
【請求項６】  画像処理装置の制御プログラムを格納した記憶媒体であって、前記制御プログラムが、
画像入力装置の画像読み取りセンサのＭＴＦ特性を示す情報を前記画像入力装置から取得する取得工程のコードと、
該取得工程において取得されたＭＴＦ特性を示す情報に応じたＭＴＦ補正フィルタにより前記画像入力装置から出力される画像を処理する画像処理工程のコードと、
を有することを特徴とする記憶媒体。
【手続補正２】
【補正対象書類名】明細書
【補正対象項目名】０００２
【補正方法】変更
【補正の内容】
【０００２】
【従来の技術】
従来、スキャナで原稿画像を読み取る際、センサの周波数応答特性（ＭＴＦ）を考慮して、読取りデータの補正をデジタルフィルタをかけることで行っている。その際、センサのＭＴＦ特性は個体差が無いという仮定で同じ特性のフィルタを利用している。
【手続補正３】
【補正対象書類名】明細書
【補正対象項目名】０００４
【補正方法】変更
【補正の内容】
【０００４】
従って、本発明は上述した課題に鑑みてなされたものであり、その目的は、複数の画像入力装置間で画像データにバラツキが生じた場合でもそれを補正することができる画像処理装置及び画像処理方法及び記憶媒体を提供することである。
【課題を解決するための手段】
上述した課題を解決し、目的を達成するために、本発明に係わる画像処理装置は、画像入力装置の画像読み取りセンサのＭＴＦ特性を示す情報を前記画像入力装置から取得する取得手段と、該取得手段によって取得されたＭＴＦ特性を示す情報に応じたＭＴＦ補正フィルタにより前記画像入力装置から出力される画像を処理する画像処理手段と、を具備することを特徴としている。
【手続補正４】
【補正対象書類名】明細書
【補正対象項目名】０００５
【補正方法】変更
【補正の内容】
【０００５】
また、この発明に係わる画像処理装置において、前記ＭＴＦ特性を示す情報は、ある特定の空間周波数でのＭＴＦ測定値であることを特徴としている。
【手続補正５】
【補正対象書類名】明細書
【補正対象項目名】０００６
【補正方法】変更
【補正の内容】
【０００６】
また、この発明に係わる画像処理装置において、前記画像処理手段は、ある特定の空間周波数における複数のＭＴＦ値にそれぞれ対応した複数のＭＴＦ補正フィルタを記憶しており、前記取得手段によって取得されたＭＴＦ特性を示す情報に基づいて、複数のＭＴＦ補正フィルタの中から１つを選択することを特徴としている。
【手続補正６】
【補正対象書類名】明細書
【補正対象項目名】０００７
【補正方法】変更
【補正の内容】
【０００７】
また、この発明に係わる画像処理装置において、前記画像処理手段は、ある特定の空間周波数における複数のＭＴＦ値にそれぞれ対応した複数のＭＴＦ補正フィルタを記憶しており、前記記憶されている複数のＭＴＦ補正フィルタ及び前記取得手段によって取得されたＭＴＦ特性を示す情報をもとに線形補間により、前記画像入力装置の画像読み取りセンサのＭＴＦ特性に対応したＭＴＦ補正フィルタを算出することを特徴と
【手続補正７】
【補正対象書類名】明細書
【補正対象項目名】０００８
【補正方法】変更
【補正の内容】
【０００８】
また、本発明に係わる画像処理方法は、画像入力装置の画像読み取りセンサのＭＴＦ特性を示す情報を前記画像入力装置から取得する取得工程と、該取得工程において取得されたＭＴＦ特性を示す情報に応じたＭＴＦ補正フィルタにより前記画像入力装置から出力される画像を処理する画像処理工程と、を具備することを特徴としている。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
また、本発明に係わる記憶媒体は、画像処理装置の制御プログラムを格納した記憶媒体であって、前記制御プログラムが、画像入力装置の画像読み取りセンサのＭＴＦ特性を示す情報を前記画像入力装置から取得する取得工程のコードと、該取得工程において取得されたＭＴＦ特性を示す情報に応じたＭＴＦ補正フィルタにより前記画像入力装置から出力される画像を処理する画像処理工程のコードと、を有することを特徴としている。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００３４
【補正方法】変更
【補正の内容】
【００３４】
ＨＤＤ１０４にはプリンタの特性およびスキャナの特性を補正し、原稿のタイプに合わせた画像を得るための処理に使用するフィルタのデータを保持している。これらのデータの基となるデータの一つとして、センサのＭＴＦ特性を複数想定した複数のＭＴＦ補正フィルタを保持する。図７は複数のＭＴＦ特性にそれぞれ対応するＭＴＦ補正フィルタの例を示す。
【手続補正１６】
【補正対象書類名】明細書
【補正対象項目名】００３６
【補正方法】変更
【補正の内容】
【００３６】
この例では、スキャナ２００内のメモリに保持されているＭＴＦ値は０．９であるため、図７の表からフィルタＥが選択される。選択されたフィルタＥとプリンタの特性および想定した原稿のタイプに応じたデータを基に作成したフィルタがフィルタ４０２にセットされる。以後スキャナが取り外されない限りここで選択されたフィルタＥがこのシステムにおけるセンサのＭＴＦ補正フィルタとなり、フィルタ４０２にセットされたフィルタがこのシステムにおけるデフォルトのフィルタとなる。
【手続補正１７】
【補正対象書類名】明細書
【補正対象項目名】００４９
【補正方法】変更
【補正の内容】
【００４９】
以上説明したように、上記の実施形態によれば、センサのＭＴＦ特性をスキャナ部が記憶しておくことにより、組み立て時に自動的にシステム全体の最適なフィルタを容易に設定することが可能になる。それにより出力される複写物の機械による個体差が緩和される。